【手続補正書】
【提出日】平成16年2月23日(2004.2.23)
【手続補正１】
【補正対象書類名】明細書
【補正対象項目名】発明の名称
【補正方法】変更
【補正の内容】
【発明の名称】セキュリティ端末およびセキュリティ管理方法、監視装置および方法、記録媒体、並びにセキュリティシステム


【手続補正２】
【補正対象書類名】明細書
【補正対象項目名】特許請求の範囲
【補正方法】変更
【補正の内容】
【特許請求の範囲】
【請求項１】
異常事態の発生を検出し、監視装置に通知するセキュリティシステムに用いられるセキュリティ端末において、
異常事態の発生を検出する検出手段と、
前記検出手段により異常事態の発生が検出されたとき、自分自身が属するエリア内の通信を管理する管理装置を介して、異常事態の発生を前記監視装置に通知する通知手段と
を備えることを特徴とするセキュリティ端末。
【請求項２】
異常事態の発生に対して威嚇する威嚇手段をさらに備え、
前記威嚇手段は、前記監視装置からの制御に基づいて動作する
ことを特徴とする請求項１に記載のセキュリティ端末。
【請求項３】
前記通知手段は、無線により前記管理装置に異常事態の発生を通知する
ことを特徴とする請求項１または２に記載のセキュリティ端末。
【請求項４】
前記セキュリティ端末は車両に設置され、
位置情報を取得する取得手段をさらに備え、
前記通知手段は、前記取得手段により取得された前記位置情報をさらに通知する
ことを特徴とする請求項１，２または３に記載のセキュリティ端末。
【請求項５】
異常事態の発生を検出し、監視装置に通知するセキュリティシステムのセキュリティ管理方法において、
異常事態の発生を検出する検出ステップと、
前記検出ステップの処理により異常事態の発生が検出されたとき、自分自身が属するエリア内の通信を管理する管理装置を介して、異常事態の発生を前記監視装置に通知する通知ステップと
を含むことを特徴とするセキュリティ管理方法。
【請求項６】
異常事態の発生を検出し、監視装置に通知する処理をコンピュータに行わせるプログラムの記録媒体において、
異常事態の発生の検出を制御する検出制御ステップと、
前記検出制御ステップの処理により異常事態の発生が検出されたとき、自分自身が属するエリア内の通信を管理する管理装置を介して、異常事態の発生を前記監視装置に通知させる通知制御ステップと
を含むことを特徴とするプログラムが記録されている記録媒体。
【請求項７】
複数のセキュリティ端末のうちの第１のセキュリティ端末から異常事態を検出したことが通知されたとき、前記第１のセキュリティ端末に加えて、前記第１のセキュリティ端末が設置されている所定のエリア内の、第２のセキュリティ端末に対して異常事態の発生を通知する第１の通知手段と、
前記第１のセキュリティ端末により異常事態が検出されたときの通報先を記憶する記憶手段と、
前記記憶手段により記憶されている前記通報先に対して、異常事態の発生を通知する第２の通知手段と
を備えることを特徴とする監視装置。
【請求項８】
前記第１の通知手段は、前記エリア毎に設けられ、管轄する前記エリア内の前記セキュリティ端末との通信を管理する管理手段を含む
ことを特徴とする請求項７に記載の監視装置。
【請求項９】
前記管理手段は、無線により前記セキュリティ端末と通信する
ことを特徴とする請求項８に記載の監視装置。
【請求項１０】
前記第１の通知手段は、異常事態の発生を通知するメッセージとともに、威嚇装置を駆動することを前記第１のセキュリティ端末および前記第２のセキュリティ端末に通知する
ことを特徴とする請求項７，８または９に記載の監視装置。
【請求項１１】
前記異常事態として通信不能の状態にあるセキュリティ端末を検出した場合、通信不能の状態にある前記セキュリティ端末が設置された住宅を含むエリア内の他の住宅に設置されているセキュリティ端末に対して、警報の出力を指示する指示手段をさらに備える
ことを特徴とする請求項７に記載の監視装置。
【請求項１２】
複数のセキュリティ端末のうちの第１のセキュリティ端末から異常事態を検出したことが通知されたとき、前記第１のセキュリティ端末に加えて、前記第１のセキュリティ端末が設置されている所定のエリア内の、第２のセキュリティ端末に対して異常事態の発生を通知する第１の通知ステップと、
前記第１のセキュリティ端末により異常事態が検出されたときの通報先を記憶する記憶ステップと、
前記記憶ステップの処理により記憶されている前記通報先に対して、異常事態の発生を通知する第２の通知ステップと
を含むことを特徴とする監視方法。
【請求項１３】
複数のセキュリティ端末のうちの第１のセキュリティ端末から異常事態を検出したことが通知されたとき、前記第１のセキュリティ端末に加えて、前記第１のセキュリティ端末が設置されている所定のエリア内の、第２のセキュリティ端末に対する異常事態の発生の通知を制御する第１の通知制御ステップと、
前記第１のセキュリティ端末により異常事態が検出されたときの通報先の記憶を制御する記憶制御ステップと、
前記記憶制御ステップの処理により記憶されている前記通報先に対する、異常事態の発生の通知を制御する第２の通知制御ステップと
を含むことを特徴とするコンピュータが読み取り可能なプログラムが記録されている記録媒体。
【請求項１４】
各エリア毎に配置され、異常事態の発生を検出する複数のセキュリティ端末と、
前記セキュリティ端末と通信する監視装置と
を備えるセキュリティシステムにおいて、
前記セキュリティ端末は、
異常事態の発生を検出する検出手段と、
前記検出手段により異常事態の発生が検出されたとき、異常事態の発生を前記監視装置に通知する第１の通知手段と
を備え、
前記監視装置は、
前記セキュリティ端末から異常事態を検出したことが通知されたとき、前記セキュリティ端末に加えて、前記セキュリティ端末が設置される前記エリア内の、他のセキュリティ端末に対して異常事態の発生を通知する第２の通知手段と、
前記セキュリティ端末により異常事態が検出されたときの通報先を記憶する記憶手段と、
前記記憶手段により記憶されている前記通報先に対して、異常事態の発生を通知する第３の通知手段と
を備えることを特徴とするセキュリティシステム。
【請求項１５】
異常事態の発生を検出し、監視装置に通知するセキュリティシステムに用いられるセキュリティ端末において、
異常事態の発生を検出する検出手段と、
前記検出手段により異常事態の発生が検出されたとき、自分自身が属するエリア内の通信を管理する管理装置を介して、予め設定されている装置IDおよび検出された異常事態の内容を前記監視装置に通知する通知手段と
を備えることを特徴とするセキュリティ端末。
【請求項１６】
異常事態の発生を検出し、監視装置に通知するセキュリティシステムのセキュリティ管理方法において、
異常事態の発生を検出する検出ステップと、
前記検出ステップの処理により異常事態の発生が検出されたとき、自分自身が属するエリア内の通信を管理する管理装置を介して、予め設定されている装置IDおよび検出された異常事態の内容を前記監視装置に通知する通知ステップと
を含むことを特徴とするセキュリティ管理方法。
【請求項１７】
異常事態の発生を検出し、監視装置に通知する処理をコンピュータに行わせるプログラムの記録媒体において、
異常事態の発生の検出を制御する検出制御ステップと、
前記検出制御ステップの処理により異常事態の発生が検出されたとき、自分自身が属するエリア内の通信を管理する管理装置を介して、予め設定されている装置IDおよび検出された異常事態の内容を前記監視装置に通知することを制御する通知制御ステップと
を含むことを特徴とするプログラムが記録されている記録媒体。
【請求項１８】
複数のセキュリティ端末のうちの第１のセキュリティ端末から、前記第１のセキュリティ端末に予め設定されている装置IDおよび検出された異常事態の内容が通知されてきたとき、前記装置IDに基づいて、異常事態が発生した住宅およびその住宅を含むエリアを特定する特定手段と、
前記特定手段により特定された前記エリア内の他の住宅に設置されている第２のセキュリティ端末に対して外部装置の駆動を指示する指示手段と
を備えることを特徴とする監視装置。
【請求項１９】
前記第１のセキュリティ端末により異常事態が検出されたときの通報先を記憶する記憶手段と、
前記記憶手段により記憶されている前記通報先に対して、異常事態の発生を通知する通知手段と
をさらに備えることを特徴とする請求項１８に記載の監視装置。
【請求項２０】
複数のセキュリティ端末のうちの第１のセキュリティ端末から、前記第１のセキュリティ端末に予め設定されている装置IDおよび検出された異常事態の内容が通知されてきたとき、前記装置IDに基づいて、異常事態が発生した住宅およびその住宅を含むエリアを特定する特定ステップと、
前記特定ステップの処理により特定された前記エリア内の他の住宅に設置されている第２のセキュリティ端末に対して外部装置の駆動を指示する指示ステップと
を含むことを特徴とする監視方法。
【請求項２１】
複数のセキュリティ端末のうちの第１のセキュリティ端末から、前記第１のセキュリティ端末に予め設定されている装置IDおよび検出された異常事態の内容が通知されてきたとき、前記装置IDに基づいて、異常事態が発生した住宅およびその住宅を含むエリアを特定する特定ステップと、
前記特定ステップの処理により特定された前記エリア内の他の住宅に設置されている第２のセキュリティ端末に対する外部装置の駆動の指示を制御する指示制御ステップと
を含むことを特徴とするコンピュータが読み取り可能なプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、セキュリティ端末およびセキュリティ管理方法、監視装置および方法、記録媒体、並びにセキュリティシステムに関し、特に、被害の拡大を抑制することができるようにしたセキュリティ端末およびセキュリティ管理方法、監視装置および方法、記録媒体、並びにセキュリティシステムに関する。


【手続補正４】
【補正対象書類名】明細書
【補正対象項目名】０００５
【補正方法】変更
【補正の内容】
【０００５】
例えば、セキュリティ装置１１が火災を検出したとき、デポ４から問い合わせが行われ、住宅１の住民は、火災の程度などを報告し、対処方法などを教えてもらう。


【手続補正５】
【補正対象書類名】明細書
【補正対象項目名】００１７
【補正方法】変更
【補正の内容】
【００１７】
威嚇手段は、例えば、セキュリティ端末が住宅に設置される場合、図３の外部ライト５６や外部スピーカ５７により構成される。そして、エリア内で異常事態の発生が検出されたとき、監視装置の制御により駆動し、周囲を明るくしたり、警報を鳴らしたりする。また、セキュリティ端末が車両に設置されている場合、威嚇手段は、図２７のホーン１７７やランプ１７８により構成される。


【手続補正６】
【補正対象書類名】明細書
【補正対象項目名】００２３
【補正方法】変更
【補正の内容】
【００２３】
検出ステップは、例えば、図９のステップS２により構成され、通知ステップは、例えば、図９のステップS３により構成される。
本発明の記録媒体は、異常事態の発生の検出を制御する検出制御ステップと、検出制御ステップの処理により異常事態の発生が検出されたとき、自分自身が属するエリア内の通信を管理する管理装置を介して、異常事態の発生を監視装置に通知させる通知制御ステップとを含むプログラムが記録されていることを特徴とする。
【手続補正７】
【補正対象書類名】明細書
【補正対象項目名】００２６
【補正方法】変更
【補正の内容】
【００２６】
本発明の監視装置は、複数のセキュリティ端末のうちの第１のセキュリティ端末から異常事態を検出したことが通知されたとき、第１のセキュリティ端末に加えて、第１のセキュリティ端末が設置されている所定のエリア内の、第２のセキュリティ端末に対して異常事態の発生を通知する第１の通知手段と、第１のセキュリティ端末により異常事態が検出されたときの通報先を記憶する記憶手段と、記憶手段により記憶されている通報先に対して、異常事態の発生を通知する第２の通知手段とを備えることを特徴とする。


【手続補正８】
【補正対象書類名】明細書
【補正対象項目名】００３４
【補正方法】変更
【補正の内容】
【００３４】
威嚇装置は、例えば、上述したセキュリティ端末における威嚇手段と同様に、外部ライト５６、または外部スピーカ５７などである。このように、異常事態が発生したとき、威嚇装置を駆動して威嚇することにより、例えば、空き巣の被害の拡大を抑制することができる。
本発明の監視装置は、異常事態として通信不能の状態にあるセキュリティ端末を検出した場合、通信不能の状態にあるセキュリティ端末が設置された住宅を含むエリア内の他の住宅に設置されているセキュリティ端末に対して、警報の出力を指示する指示手段をさらに備えるようにすることができる。
【手続補正９】
【補正対象書類名】明細書
【補正対象項目名】００３５
【補正方法】変更
【補正の内容】
【００３５】
本発明の監視方法は、複数のセキュリティ端末のうちの第１のセキュリティ端末から異常事態を検出したことが通知されたとき、第１のセキュリティ端末に加えて、第１のセキュリティ端末が設置されている所定のエリア内の、第２のセキュリティ端末に対して異常事態の発生を通知する第１の通知ステップと、第１のセキュリティ端末により異常事態が検出されたときの通報先を記憶する記憶ステップと、記憶ステップの処理により記憶されている通報先に対して、異常事態の発生を通知する第２の通知ステップとを含むことを特徴とする。


【手続補正１０】
【補正対象書類名】明細書
【補正対象項目名】００３６
【補正方法】変更
【補正の内容】
【００３６】
第１の通知ステップは、例えば、図１０のステップS１５により構成され、記憶ステップは、例えば、図１０のステップS１３において、通報先指定情報を予め設定するときの処理により、第２の通知ステップは、例えば、図１０のステップS１５により構成される。
本発明の記録媒体は、複数のセキュリティ端末のうちの第１のセキュリティ端末から異常事態を検出したことが通知されたとき、第１のセキュリティ端末に加えて、第１のセキュリティ端末が設置されている所定のエリア内の、第２のセキュリティ端末に対する異常事態の発生の通知を制御する第１の通知制御ステップと、第１のセキュリティ端末により異常事態が検出されたときの通報先の記憶を制御する記憶制御ステップと、記憶制御ステップの処理により記憶されている通報先に対する、異常事態の発生の通知を制御する第２の通知制御ステップとを含むコンピュータが読み取り可能なプログラムが記録されていることを特徴とする。
【手続補正１１】
【補正対象書類名】明細書
【補正対象項目名】００３９
【補正方法】変更
【補正の内容】
【００３９】
これにより、例えば、異常事態が発生したとき、その当事者（異常事態が住宅において発生した場合、その住民、または異常事態が車両において発生した場合、その所有者）だけでなく、近隣の住民などにも異常事態の発生が通知されるため、被害の拡大を抑制することができる。すなわち、近隣の住民も異常事態に対して備えることができる。
本発明のセキュリティ端末は、異常事態の発生を検出する検出手段と、検出手段により異常事態の発生が検出されたとき、自分自身が属するエリア内の通信を管理する管理装置を介して、予め設定されている装置IDおよび検出された異常事態の内容を監視装置に通知する通知手段とを備えることを特徴とする。
本発明のセキュリティ管理方法は、異常事態の発生を検出する検出ステップと、検出ステップの処理により異常事態の発生が検出されたとき、自分自身が属するエリア内の通信を管理する管理装置を介して、予め設定されている装置IDおよび検出された異常事態の内容を監視装置に通知する通知ステップとを含むことを特徴とする。
本発明の記録媒体は、異常事態の発生の検出を制御する検出制御ステップと、検出制御ステップの処理により異常事態の発生が検出されたとき、自分自身が属するエリア内の通信を管理する管理装置を介して、予め設定されている装置IDおよび検出された異常事態の内容を監視装置に通知することを制御する通知制御ステップとを含むプログラムが記録されていることを特徴とする。
本発明の監視装置は、複数のセキュリティ端末のうちの第１のセキュリティ端末から、第１のセキュリティ端末に予め設定されている装置IDおよび検出された異常事態の内容が通知されてきたとき、装置IDに基づいて、異常事態が発生した住宅およびその住宅を含むエリアを特定する特定手段と、特定手段により特定されたエリア内の他の住宅に設置されている第２のセキュリティ端末に対して外部装置の駆動を指示する指示手段とを備えることを特徴とする。
本発明の監視装置は、第１のセキュリティ端末により異常事態が検出されたときの通報先を記憶する記憶手段と、記憶手段により記憶されている通報先に対して、異常事態の発生を通知する通知手段とさらにを備えるようにすることができる。
本発明の監視方法は、複数のセキュリティ端末のうちの第１のセキュリティ端末から、第１のセキュリティ端末に予め設定されている装置IDおよび検出された異常事態の内容が通知されてきたとき、装置IDに基づいて、異常事態が発生した住宅およびその住宅を含むエリアを特定する特定ステップと、特定ステップの処理により特定されたエリア内の他の住宅に設置されている第２のセキュリティ端末に対して外部装置の駆動を指示する指示ステップとを含むことを特徴とする。
本発明の記録媒体は、複数のセキュリティ端末のうちの第１のセキュリティ端末から、第１のセキュリティ端末に予め設定されている装置IDおよび検出された異常事態の内容が通知されてきたとき、装置IDに基づいて、異常事態が発生した住宅およびその住宅を含むエリアを特定する特定ステップと、特定ステップの処理により特定されたエリア内の他の住宅に設置されている第２のセキュリティ端末に対する外部装置の駆動の指示を制御する指示制御ステップとを含むコンピュータが読み取り可能なプログラムが記録されていることを特徴とする。